(57)【要約】【課題】例えば照射方向等の可変のための可動部を有する照明装置について、該可動部の駆動のために使用者の手動による手間を強いることなく、光源部以外への別途の電力供給を行う必要性を無いものとして消費電力の増加の防止を図り、且つ追加部品点数の増加を抑制してコストアップの抑制を図る。【解決手段】発光部で発生した熱に基づき駆動力を発生するサーマルアクチュエータ部が発生した駆動力を利用して、上記可動部を動かし、所定の対象物を変位させるようにする。これによりモータ等の動力発生部を別途に設ける必要性はなくなり、消費電力の増加を効果的に防止できる。また同時に、別途の電気配線や駆動回路基板等の追加の必要がなくなるので、追加部品点数の増加を抑制でき、コストアップの抑制が図られる。【選択図】図９
2013110074.tif 000002
【特許請求の範囲】
【請求項１】
第１の発光部と、
上記第１の発光部で発生した熱に基づき駆動力を発生するサーマルアクチュエータ部と、
上記サーマルアクチュエータ部が発生した駆動力を利用して所定の対象物を変位させる変位機構部と
を備える照明装置。
【請求項２】
上記第１の発光部はその光源がＬＥＤ（Light Emitting Diode）とされる請求項１に記載の照明装置。
【請求項３】
上記サーマルアクチュエータ部は、
形状記憶合金を有し、該形状記憶合金の上記熱に応じた変形を利用して上記駆動力を発生する
請求項１に記載の照明装置。
【請求項４】
さらに第２の発光部を備え、
上記変位機構部は、
上記対象物として上記第２の発光部を変位させるように構成されている
請求項１に記載の照明装置。
【請求項５】
上記第２の発光部はその光源がＬＥＤとされる請求項４に記載の照明装置。
【請求項６】
上記第１の発光部と上記第２の発光部は、互いの発光方向が逆向きとなるように配置されている
請求項４に記載の照明装置。
【請求項７】
上記変位機構部は、
回転軸部と、
該回転軸部に接続され上記対象物を保持する回転保持部とを有すると共に、
上記サーマルアクチュエータ部が発生した駆動力を利用して上記回転軸部を回転させることで上記対象物を変位させる
請求項１に記載の照明装置。
【請求項８】
上記第１の発光部が、上記回転軸部の中心軸の近傍に配置されている請求項７に記載の照明装置。
【請求項９】
上記サーマルアクチュエータ部は、
上記第１の発光部の発熱量が大となることに応じてその駆動量が大となるように構成されている
請求項１に記載の照明装置。
【請求項１０】
第２の発光部を複数備え、
上記変位機構部は、
それぞれが上記第２の発光部を保持する複数の上記回転保持部を有して、複数の上記第２の発光部をそれぞれ変位させるように構成されており、
上記第２の発光部が上記回転軸部の回転量に応じて順次点灯されていくように制御を行う点灯制御部をさらに備える
請求項７に記載の照明装置。
【請求項１１】
上記変位機構部は、複数の棒状部材を傘状に開／閉させるように構成されている請求項１に記載の照明装置。
【請求項１２】
上記変位機構部は、上記対象物の保持部を水平移動させることで上記対象物を変位させるように構成されている請求項１に記載の照明装置。
【請求項１３】
発光部と、
上記発光部で発生した熱に基づき駆動力を発生するサーマルアクチュエータ部と
を備える駆動装置。
【請求項１４】
発光部で発生した熱に基づき駆動力を発生するサーマルアクチュエータ部が発生した駆動力を利用して、所定の対象物を変位させる
駆動方法。
【発明の詳細な説明】
【技術分野】
【０００１】
本技術は、例えば室内灯などとして用いて好適な照明装置、及び該照明装置に用いられて好適な駆動装置並びに駆動方法に関する。
【先行技術文献】
【特許文献】
【０００２】
【特許文献１】特開２０１０−１２３５３９号公報
【特許文献２】特開２０１１−１５４８２８号公報
【特許文献３】特開２０１０−６１９０９号公報
【背景技術】
【０００３】
例えば天井吊下型の照明装置など、室内灯として供される照明装置が広く普及している。
これら照明装置においては、例えば上記各特許文献に記載されるように、その発光光の照射方向や発光位置等を可変とされたものがある。具体的に、上記特許文献１には、光源としてのＬＥＤ（Light Emitting Diode）が配列された基板の向きをモータ等の駆動手段を用いて変化させることで光の照射方向等を変化させる照明装置が開示されている。また、上記特許文献２には、反射板の向きを変化させることで光照射方向等を可変とする照明装置が開示されている。また上記特許文献３には、手動で照射方向等を変化させることが可能な照明装置が開示されている。
【発明の概要】
【発明が解決しようとする課題】
【０００４】
上記のように、照射方向等を変化させるための可動部を有する照明装置が種々提案されているが、上記可動部の駆動源としては、例えばモータ等の別途の電力供給（光源部以外への別途の電力供給）を要するものであったり、或いは使用者の手動によるものとされている。
【０００５】
本技術の課題は、例えば照射方向等の可変のための可動部を有する照明装置について、該可動部の駆動のために使用者の手動による手間を強いることなく、光源部以外への別途の電力供給を行う必要性を無いものとして消費電力の増加の防止を図り、且つ追加部品点数の増加を抑制してコストアップの抑制を図ることをその課題とする。
【課題を解決するための手段】
【０００６】
上記課題の解決のため、本技術では照明装置として以下のような構成を提案する。
すなわち、本技術の照明装置は、第１の発光部と、上記第１の発光部で発生した熱に基づき駆動力を発生するサーマルアクチュエータ部と、上記サーマルアクチュエータ部が発生した駆動力を利用して所定の対象物を変位させる変位機構部とを備えるものである。
【０００７】
また、本技術では駆動装置として以下のような構成を提案する。
すなわち、発光部と、上記発光部で発生した熱に基づき駆動力を発生するサーマルアクチュエータ部とを備えるものである。
【０００８】
また、本技術の駆動方法は、発光部で発生した熱に基づき駆動力を発生するサーマルアクチュエータ部が発生した駆動力を利用して、所定の対象物を変位させるものである。
【０００９】
上記のように本技術では、発光部で生じる熱を利用して可動部としての上記変位機構部を動かすものとしている。
これによれば、モータ等の動力発生部を別途に設ける必要性はなくなり、消費電力の増加を効果的に防止できる。また同時に、別途の電気配線や駆動回路基板等の追加の必要がなくなるので、追加部品点数の増加を抑制でき、コストアップの抑制が図られる。
【発明の効果】
【００１０】
本技術によれば、例えば照射方向等の可変のための可動部を有する照明装置について、該可動部の駆動のために使用者の手動による手間を強いることなく、光源部以外への別途の電力供給を行う必要性を無いものとして消費電力の増加の防止を図ることができる。
また、別途の追加部品点数の増加を抑制してコストアップの抑制を図ることができる。
【図面の簡単な説明】
【００１１】
【図１】実施の形態の照明装置の外観上面図である。
【図２】実施の形態の照明装置の外観正面図である。
【図３】実施の形態の照明装置の外観背面図である。
【図４】実施の形態の照明装置の外観右側面図である。
【図５】実施の形態の照明装置の外観左側面図である。
【図６】実施の形態の照明装置の外観下面図である。
【図７】実施の形態の照明装置の展開状態での外観を表す下面図である。
【図８】実施の形態の照明装置が備える十字保持部の構成を示した図である。
【図９】実施の形態の照明装置の主に可動部の構成を表す断面構造図である。
【図１０】実施の形態の照明装置の主に可動部の構成を表す平面図である。
【図１１】サーマルアクチュエータ部の具体的な構成例についての説明図である。
【図１２】実施の形態としての開／閉動作を実現するための具体的な構成についての説明図である。
【図１３】基板温度と駆動量（ストローク量）との関係を示した図である。
【図１４】実施の形態の照明装置の内部構成を表すブロック図である。
【図１５】照明装置に形成される接続部についての説明図である。
【図１６】展開動作の変形例についての説明図である。
【発明を実施するための形態】
【００１２】
以下、本技術に係る実施の形態について説明する。
なお、説明は以下の順序で行う。
＜１．照明装置の外観＞
＜２．開／閉動作とその実現のための構成＞
＜３．回路構成＞
＜４．まとめ＞
＜５．変形例＞
【００１３】
＜１．照明装置の外観＞
図１〜図６は、本技術に係る実施の形態としての照明装置１の外観を表す６面図である。
図１は上面図、図２は正面図、図３は背面図、図４は右側面図、図５は左側面図、図６は下面図である。
【００１４】
先ず前提として、本実施の形態の照明装置１は、例えば室内の天井等から吊り下げられて使用される天井吊下型の照明装置とされる。
これら図１〜図６を参照して分かるように、照明装置１は、本体部２と、複数の上向きＬＥＤ基板３（ＬＥＤ：Light Emitting Diode）と、複数の十字保持部５と、これら十字保持部５の十字の各先端部に設けられた複数の下向きＬＥＤ基板４とを有して構成される。
【００１５】
各上向きＬＥＤ基板３には、その表面に複数のＬＥＤ（図中白丸部）が形成されている。該上向きＬＥＤ基板３は、本体部２の上面側（使用時において天井と対向する面側）に設けられており、その表面が天井に対向する。上向きＬＥＤ基板３に形成された各ＬＥＤが点灯されることで、その発光光が天井に照射され、これにより間接照明として機能とする。
本例の場合、間接照明部として機能する上向きＬＥＤ基板３は、図のように８つ設けられている。具体的に、照明装置１の正面側、左側、背面側、右側に各１つが設けられ（これらを順に上向きＬＥＤ基板３-1、３-3、３-5、３-7とする）、さらに、正面側と左側との間（左斜め前側）に１つ（上向きＬＥＤ基板３-2とする）、左側と背面側との間（左斜め後側）に１つ（上向きＬＥＤ基板３-4とする）、背面側と右側との間（右斜め後側）に１つ（上向きＬＥＤ基板３-6とする）、右側と正面側との間（右斜め前側）に１つ（上向きＬＥＤ基板３-8とする）が設けられている。
【００１６】
図２〜図５を参照して分かるように、十字保持部５は、上面側から下面側にかけて４つ配列されている。これらを上側から順に十字保持部５-1、５-2、５-3、５-4とする。
【００１７】
各十字保持部５の先端部には、下向きＬＥＤ基板４が設けられる。
下向きＬＥＤ基板４の表面には、先の上向きＬＥＤ基板３と同様、複数のＬＥＤ（白丸部）が形成されている。下向きＬＥＤ基板４は、その表面が下面側を向くように十字保持部５により保持されている。これにより、使用時においては、各下向きＬＥＤ基板４のＬＥＤが点灯されることで室内が直接的に照明される。すなわち、直接照明として機能するものである。
【００１８】
この場合、各下向きＬＥＤ基板４は４つの十字保持部５の各先端部に設けられているので、計１６個が形成されていることになる。
ここで、最上段に位置する十字保持部５-1の各先端部に設けられた下向きＬＥＤ基板４を下向きＬＥＤ基板４-1と表記する。そしてこれらのうち、正面側に位置するものを下向きＬＥＤ基板４-1Fr、背面側に位置するものを下向きＬＥＤ基板４-1Rr、右側に位置するものを下向きＬＥＤ基板４-1Rt、左側に位置するものを下向きＬＥＤ基板４-1Ltと表記する。
また、上から２段目に位置する十字保持部５-2の各先端部に設けられた下向きＬＥＤ基板４を下向きＬＥＤ基板４-2とし、そのうち正面側に位置するものを下向きＬＥＤ基板４-2Fr、背面側に位置するものを下向きＬＥＤ基板４-2Rr、右側に位置するものを下向きＬＥＤ基板４-2Rt、左側に位置するものを下向きＬＥＤ基板４-2Ltとする。
以下同様に、上から３段目に位置する十字保持部５-3の各先端部に設けられた下向きＬＥＤ基板４を下向きＬＥＤ基板４-3とし、そのうち正面側に位置するものを下向きＬＥＤ基板４-3Fr、背面側に位置するものを下向きＬＥＤ基板４-3Rr、右側に位置するものを下向きＬＥＤ基板４-3Rt、左側に位置するものを下向きＬＥＤ基板４-3Ltとし、また最下段に位置する十字保持部５-4の各先端部に設けられた下向きＬＥＤ基板４を下向きＬＥＤ基板４-4とし、そのうち正面側に位置するものを下向きＬＥＤ基板４-4Fr、背面側に位置するものを下向きＬＥＤ基板４-4Rr、右側に位置するものを下向きＬＥＤ基板４-4Rt、左側に位置するものを下向きＬＥＤ基板４-4Ltとする。
【００１９】
ここで、図２〜図５を参照して分かるように、本体部２は、天井等の装着対象物に装着される装着部２Ａと、十字保持部５の中央部を上面側及び下面側から覆う（すなわち先端部の下向きＬＥＤ基板４は覆わない）ケース部２Ｃと、これら装着部２Ａとケース部２Ｃとの間を連接するスリング部２Ｂとを有して構成される。
【００２０】
＜２．開／閉動作とその実現のための構成＞
図１〜図６では、照明装置１の初期状態（消灯状態）における様子を示したが、本実施の形態の照明装置１は、ＬＥＤの点灯に応じて、図７（下面図）に示すような展開状態に遷移する。
具体的に、図１〜図６に示す初期状態では、各段に形成された正面側、背面側、右側、左側の下向きＬＥＤ基板４がこれら正面側、背面側、右側、左側の各位置で重なっていたが、該展開状態では、十字保持部５が面内方向にて回転されることで、それらの重なりが解消されて、各下向きＬＥＤ基板４がそれぞれ異なる位置に展開することになる。
【００２１】
より具体的に、本例においては、最下段に配置された十字保持部５-4の位置（回転角度）は固定とし、それ以外の十字保持部５-1，５-2，５-3を回転させることで、図７に示すような展開状態を得る。
このとき、最上段に形成された十字保持部５-1の回転量が最も大きく、２段目に形成された十字保持部５-2の回転量が次いで大きく、３段目に形成された十字保持部５-3の回転量が最も小さくなるようにされる。また、回転方向は、下面側より見たときに図のように反時計回り方向となる。
これにより、本例の展開状態では、正面側に配される下向きＬＥＤ基板４-4Frを基準とすると、各下向きＬＥＤ基板４が反時計回り方向に４-4Fr→４-3Fr→４-2Fr→４-1Fr→４-4Lt→４-3Lt→４-2Lt→４-1Lt→４-4Rr→４-3Rr→４-2Rr→４-1Rr→４-4Rt→４-3Rt→４-2Rt→４-1Rt→４-4Frの順で配列されることになる。
【００２２】
ここで、図８を参照して、十字保持部５の構成について説明しておく。
図８に示すように十字保持部５は、略十字の外形を有し、その十字の各先端部に対して下向きＬＥＤ基板４がそれぞれ形成されている。
そして、十字保持部５の中心部には、図のように孔部５ｈが設けられている。十字保持部５は、該孔部５ｈにおいて後述する回転軸部６を挿通可能とされている。孔部５ｈに対して回転軸部６が挿通された状態で、十字保持部５の面内方向における回転が可能とされる。
【００２３】
ここで、上記により説明したような初期状態から展開状態への遷移を使用者の手動による駆動ではなく自動により実現するためには、照明装置１に、十字保持部５に回転駆動力を与えるための動力発生手段を設けることとなる。
【００２４】
例えば該動力発生手段としては、先の特許文献１等に記載されるようにモータ等を設けることが順当と考えられる。
しかしながら、このようなモータ等の別途の電力供給が必要な手段を設けてしまうと、
光源部以外への別途の電力供給が必要となり、その分消費電力の増加を招く。また、別途の電気配線や駆動回路基板等の追加を要し、コストアップを助長してしまう。
【００２５】
このような点を考慮し、本実施の形態では、上記のような展開動作を実現するための動力発生手段として、光源部で発生した熱を利用した手段を用いる。
【００２６】
図９は、実施の形態の照明装置１が有する主に可動部の構成を断面構造図により表し、図１０は、照明装置１の主に可動部の構成を平面図により表している。
なお図９の断面構造図では、照明装置１を右左方向に切断した際の断面を表しているが、前後方向の断面構造についてはこの図に示すものと同様となることから図示は省略する。
【００２７】
先ず、照明装置１には、回転軸部６が設けられている。この回転軸部６は、照明装置１の中心部において縦向きに配置されている。そして、該回転軸部６に対し、各十字保持部５の孔部５ｈが挿通されている。
このとき、最上段に配置される十字保持部５-1は、その孔部５ｈにおいて回転軸部６を挿通するが、例えばその上面側がケース部２Ｃ側に固着されるなどして、回転軸部６の回転に関わらずその位置が固定となるようにされている。
本例の場合、最下段に形成された十字保持部５-4に対してのみ、回転軸部６の回転に伴う駆動力が与えられるようにされる。すなわち、該十字保持部５-4のみが回転軸部６の回転に伴って回転するものである。
２段目の十字保持部５-2、及び３段目の十字保持部５-3は、回転軸部６の回転に応じて最下段の十字保持部５-4が回転することに伴って回転するようにされる（詳細な構成は後述する）。
【００２８】
この場合の回転軸部６は、図中のねじりコイルバネ８により与圧が与えられている。具体的に本例の場合、回転軸部６は、先の図７に示した展開方向（下面側から見て反時計回り方向）とは逆向きの回転方向に与圧が与えられている。このことで、照明装置１の消灯に応じて、点灯状態に対応する図７に示した展開状態から、図１〜図６に示した初期状態に戻すことが可能とされる。
なお、ねじりコイルバネ８は、それぞれの端部がピン９、ピン１０によりケース部２Ｃ側に固定されている。
【００２９】
そして、回転軸部６に対しては、プーリー７が装着されている。該プーリー７は、その中心部に回転軸部６を挿通する孔部（図示せず）が設けられ、該孔部により回転軸部６を挿通する。
回転軸部６は、該プーリー７の回転に伴って回転されるものである。
【００３０】
本実施の形態の照明装置１には、プーリー７を回転させるための動力発生手段として、サーマルアクチュエータ１２が設けられる。
具体的に、この場合のサーマルアクチュエータ１２は、照明装置１の右側に配されたサーマルアクチュエータ１２-Rt、左側に配されたサーマルアクチュエータ１２-Lt、及び正面側に配されたサーマルアクチュエータ１２-Fr、背面側に配されたサーマルアクチュエータ１２-Rrの計４つが設けられる。
【００３１】
図９を参照して分かるように、右側のサーマルアクチュエータ１２-Rtは、上側のケース部２Ｃにおける、上向きＬＥＤ基板３-7の裏側となる位置に対して設けられている。また、左側のサーマルアクチュエータ１２-Ltは、上側のケース部２Ｃにおける上向きＬＥＤ基板３-3の裏側となる位置に対して設けられている。
また、図９では図示が省略されているが、正面側のサーマルアクチュエータ１２-Frは、上側のケース部２Ｃにおける上向きＬＥＤ基板３-1の裏側となる位置に対して設けられ、背面側のサーマルアクチュエータ１２-Rrは、上側のケース部２Ｃにおける上向きＬＥＤ基板３-5の裏側となる位置に対して設けられている。
【００３２】
この場合、上向きＬＥＤ基板３-7の裏側となる位置に対しては、当該上向きＬＥＤ基板３-7の裏面側に生じる点灯時の熱を集熱するための集熱ケース１１-Rtが形成されており、右側のサーマルアクチュエータ１２-Rtは、当該集熱ケース１１-Rt内に格納されている。
同様に、上向きＬＥＤ基板３-3の裏側となる位置に対しては、当該上向きＬＥＤ基板３-3の裏面側に生じる点灯時の熱を集熱するための集熱ケース１１-Ltが形成されており、左側のサーマルアクチュエータ１２-Ltは当該集熱ケース１１-Lt内に格納されている。
また、図示は省略しているが、上向きＬＥＤ基板３-1の裏側となる位置に対しては、当該上向きＬＥＤ基板３-1の裏面側に生じる点灯時の熱を集熱するための集熱ケース１１-Frが形成されており、正面側のサーマルアクチュエータ１２-Frは当該集熱ケース１１-Fr内に格納され、また上向きＬＥＤ基板３-5の裏側となる位置に対しては当該上向きＬＥＤ基板３-5の裏面側に生じる点灯時の熱を集熱するための集熱ケース１１-Rrが形成されており、背面側のサーマルアクチュエータ１２-Rrは当該集熱ケース１１-Rr内に格納されている。
【００３３】
サーマルアクチュエータ１２は、熱に応じて駆動力を発生するアクチュエータを総称したものである。
この場合のサーマルアクチュエータ１２は、それぞれ対応する上向きＬＥＤ基板３が発した熱に応じて、プーリー７に巻回されたワイヤ１３を引くように構成されている。具体的に、この場合のプーリー７には、サーマルアクチュエータ１２-Rtに接続されたワイヤ１３-Rt、サーマルアクチュエータ１２-Ltに接続されたワイヤ１３-Rt、サーマルアクチュエータ１２-Frに接続されたワイヤ１３-Fr、サーマルアクチュエータ１２-Rrに接続されたワイヤ１３-Rrがそれぞれ巻回されており、各サーマルアクチュエータ１２が熱に応じてそれぞれ対応するワイヤ１３を引くことで、プーリー７を前述の展開方向に回転させることができる。つまりこれにより、回転軸部６を、ねじりコイルバネ８による与圧に抗って上記展開方向に回転させることができる。
【００３４】
図１１は、サーマルアクチュエータ１２の具体的な構成例についての説明図である。なお、この図１１では集熱ケース１１とその内部に配置されたサーマルアクチュエータ１２の断面構造を示している。
【００３５】
本例で用いるサーマルアクチュエータ１２は、形状記憶合金バネ２２を用いたものとされる。
具体的に、この場合のサーマルアクチュエータ１２は、ピストン部２０、ピストン支持部２１、形状記憶合金バネ２２、及びコイルスプリング２３を有して構成される。
ピストン部２０は、その外形形状が略円柱状とされ、その一方の端部に図のようにワイヤ１３が接続されている。また、該ピストン部２０には、その中央部付近に、形状記憶合金バネ２２の一端とコイルスプリング２３の一端をそれぞれ表裏別々の面で当接する衝立部２０Ａが形成されている。
【００３６】
ピストン支持部２１は、ピストン部２０を挿通するための孔部が形成された２つの壁部（紙面縦方向に延びる壁部）と、これらの壁部と連接され且つこれら壁部とは直交する方向に延びる底面部とを有する。
ピストン支持部２１の一方の上記壁部には、ピストン部２０におけるワイヤ１３が接続された側の端部が挿通される（以下、この壁部を手前側壁部とする）。また、ピストン支持部２１の他方の上記壁部には、ピストン部２０におけるワイヤ１３が接続されていない側の端部が挿通される（この壁部を奥側壁部とする）。
【００３７】
この場合のサーマルアクチュエータ１２では、上記のようにピストン部２０の各端部がピストン支持部２１の各壁部に挿通された状態にて、図のように、形状記憶合金バネ２２が、ピストン部２０における手前側壁部と衝立部２０Ａとの間の部分に巻回され、コイルスプリング２３が、ピストン部２０における奥側壁部と衝立部２０Ａとの間の部分に巻回されている。
【００３８】
ここで、形状記憶合金バネ２２は、例えばＮｉ−Ｔｉ合金で構成されており、上記構成のようにコイルスプリング２３による与圧が与えられた状態下では、温度の上昇に応じて徐々に伸張していくことになる。
このことから、対応する上向きＬＥＤ基板３からの熱が伝導されると、ピストン部２０が、ワイヤ１３の接続された側とは逆側に移動することとなる。すなわち、ＬＥＤ基板３上のＬＥＤが点灯されることに応じて、ワイヤ１３を引く方向の駆動力を発生するものである。
【００３９】
なお、形状記憶合金バネ２２としてはＮｉ−Ｔｉ合金に限定されるべきものではなく、例えばＦｅ−Ｍｎ−Ｓｉ合金などの他の形状記憶合金によるものを用いることができる。
【００４０】
上記のようなサーマルアクチュエータ１２により、上向きＬＥＤ基板３の発熱を利用して、照明装置１を図１〜図６に示した初期状態から図７に示した展開状態へと変形させることができる。
【００４１】
ここで、上向きＬＥＤ基板３に形成されたＬＥＤを消灯させる、すなわち照明装置１をオフ状態に移行させると、上向きＬＥＤ基板３の発熱量が徐々に減少することに伴い、前述のねじりコイルバネ８の与圧により回転軸部６が逆向きに回転することで、展開状態から初期状態に徐々に遷移していくことになる。
【００４２】
このとき、先の説明によると、本例の照明装置１では、最下段の十字保持部５-4が固定とされた上で、最上段の十字保持部５-1のみが回転軸部６の回転に応じて回転することに伴って２段目の十字保持部５-2及び３段目の十字保持部５-3が回転して図７に示した展開状態が実現されることとなる。
また、ＬＥＤが消灯され、初期状態に戻った際には、図１〜図６に示したように、各段に形成された正面側、背面側、右側、左側の下向きＬＥＤ基板４がこれら正面側、背面側、右側、左側の各位置で重なった状態となる。
【００４３】
図１２を参照して、このような本例としての開／閉動作を実現するための具体的な構成例を説明する。
この図１２に示すように、本例の照明装置１においては、最上段の十字保持部５-1と２段目の十字保持部５-2との間を接続する第１ワイヤＷ１と、該２段目の十字保持部５-2と３段目の十字保持部５-3との間を接続する第２ワイヤＷ２とが設けられている。
これら第１ワイヤＷ１、第２ワイヤＷの長さが適切に設定されることで、最上段の十字保持部５-1のみの回転に伴い、十字保持部５-2、十字保持部５-3の展開状態での位置（回転角度）が所定位置に設定される。なおかつ、この場合の展開動作は、最上段の十字保持部５-1が所定量だけ回転したところで先ずは２段目の十字保持部５-2の回転動作が開始され、さらに該２段目の十字保持部５-2が十字保持部５-1の回転に伴って所定量だけ回転したところで３段目の十字保持部５-3の回転動作が開始することになる。
【００４４】
また、回転量が最大とされる最上段の十字保持部５-1には、ポール５-1Pが設けられる。このポール５-1Pは、照明装置１の下方側に凸となるように形成されている。
このポール５-1Pが設けられることで、ＬＥＤの消灯に応じて回転軸部６が展開時と逆方向に回転される、すなわち最上段の十字保持部５-1が展開時と逆方向に回転されることに応じて、２段目の十字保持部５-2、３段目の十字保持部５-3を順次畳んでいくことができる。具体的に、最上段の十字保持部５-1が上記逆方向に回転されることによっては、該ポール５-1Pが２段目の十字保持部５-2、３段目の十字保持部５-3を順次係止していき、これら十字保持部５-2、５-3を十字保持部５-1と同調させて回転させることができ、その結果、最上段の十字保持部５-1が初期状態として位置まで戻されることによって、他の十字保持部５-2、５-3としても同様に初期状態としての位置まで戻されるものである。
【００４５】
ここで、本発明者らは、上向きＬＥＤ基板３上に形成されたＬＥＤの駆動電流値と該上向きＬＥＤ基板３の発熱温度（基板温度）との関係についての実験を行った。
その結果を以下に記しておく。
２６０ｍＡ  →  １０７℃
２４０ｍＡ  →  １００℃
２２０ｍＡ  →  ９４℃
１８０ｍＡ  →  ８１℃
１００ｍＡ  →  ５６℃
【００４６】
また、本発明者らは、基板温度とサーマルアクチュエータ１２による駆動量（ストローク量）との関係についての実験も行った。その結果を図１３に示す。
実験では、基板温度が１０７℃、１００℃、９４℃、８１℃、５６℃の各時点でのストローク量を測定した。その結果は以下の通りである。
１０７℃（２６０ｍＡ）→  ４．７mm
１００℃（２４０ｍＡ）→  ４．０mm
９４℃（２２０ｍＡ）  →  ３．１mm
８１℃（１８０ｍＡ）  →  ２．１mm
５６℃（１００ｍＡ）  →  １．４mm
【００４７】
この結果をフィッティングすると、基板温度（ｘ）とストローク量（ｙ）との関係は、
ｙ＝０．００１４ｘ2−０．１７０２ｘ＋６．３８３４
と表すことができた。
【００４８】
なお、上記の実験結果からも明らかなように、本実施の形態の照明装置１の構成によれば、間接照明としての上向きＬＥＤ基板３上のＬＥＤの発光量を制御することによって、下向きＬＥＤ基板４の展開位置（十字保持部５の回転角度）を制御することが可能となる。
【００４９】
＜３．回路構成＞
ここで、本実施の形態の照明装置１は、十字保持部５-1、５-2、５-3の順で順次初期位置から動き出す十字保持部５上の各下向きＬＥＤを、それら十字保持部５-1、５-2、５-3の回転状態に応じて徐々に点灯させていくという機能を有している。
具体的には、初期位置から動き出す十字保持部５の順に、その十字保持部５上に形成された下向きＬＥＤを順次点灯させていくというものである。
なお確認のため述べておくと、下向きＬＥＤとは、下向きＬＥＤ基板４に形成されたＬＥＤを意味するものである。
【００５０】
図１４は、上記のような順次点灯機能を実現するための照明装置１の内部構成を示したブロック図である。
なおこの図１４では照明装置１の内部構成と共に、使用者が照明装置１を遠隔操作するためのリモートコントローラ５０も併せて示している。
【００５１】
図のように照明装置１には、上向きＬＥＤ基板３に接続され、該上向きＬＥＤ基板３上に形成された上向きＬＥＤについての発光駆動を行う上向きＬＥＤ駆動回路２５と共に、１段目下向きＬＥＤ駆動回路２６、２段目下向きＬＥＤ駆動回路２７、３段目下向きＬＥＤ駆動回路２８、４段目下向きＬＥＤ駆動回路２９、制御部３０、受信部３１、及び回転量検出部３２が設けられている。
【００５２】
１段目下向きＬＥＤ駆動回路２６は、最上段の十字保持部５-1に設けられた各下向きＬＥＤ基板４-1と接続され、それら下向きＬＥＤ基板４-1上に形成された下向きＬＥＤを発光駆動するための回路部となる。
同様に、２段目下向きＬＥＤ駆動回路２７は、２段目の十字保持部５-2に設けられた各下向きＬＥＤ基板４-2と接続され、それら下向きＬＥＤ基板４-2上に形成された下向きＬＥＤを発光駆動するための回路部であり、また３段目下向きＬＥＤ駆動回路２８は３段目の十字保持部５-3に設けられた各下向きＬＥＤ基板４-3と接続されてそれら下向きＬＥＤ基板４-1上に形成された下向きＬＥＤを発光駆動するための回路部となる。さらに、４段目下向きＬＥＤ駆動回路２９は、最下段の十字保持部５-4に設けられた各下向きＬＥＤ基板４-4と接続されてそれら下向きＬＥＤ基板４-4上に形成された下向きＬＥＤを発光駆動するための回路部となる。
【００５３】
制御部３０は、例えばマイクロコンピュータで構成され、照明装置１の全体制御を行う。
この場合の制御部３０は、受信部３１により受信されたリモートコントローラ５０からの操作入力信号や、回転量検出部３２で検出された回転軸部６の回転量情報に基づき、上向きＬＥＤ駆動回路２５、下向きＬＥＤ駆動回路２６〜２９に対する指示を行って、間接照明としての上向きＬＥＤ、及び直接照明としての下向きＬＥＤについての発光制御を行う。
【００５４】
ここで、上記で述べた順次点灯の具体的な手法としては、２通りが考えられる。
先ず第１の手法としては、照明装置１に対する指示入力として単に全点灯／消灯の指示入力のみが可能とされる場合において、全点灯の指示に伴い上向きＬＥＤ基板３の発熱温度が最大温度まで比較的急速に上昇していくことに伴い下向きＬＥＤ基板４の展開動作が比較的高速に行われる場合に対応した手法となる。具体的には、このように上向きＬＥＤが全点灯されることに応じて展開動作が比較的高速となる場合おいて、回転軸部６の回転量を検出した結果に基づき、初期状態から動き出した十字保持部５から順に、下向きＬＥＤを順に点灯させていくというものである。
【００５５】
この第１の手法としての順次点灯動作を実現する場合、制御部３０は、以下のような制御を行う。
先ず、該第１の手法では、使用者によるリモートコントローラ５０を用いた操作入力によって、全点灯／消灯の指示入力のみが可能とされる。
制御部３０は、全点灯が指示されたことに応じて、上向きＬＥＤ駆動回路２５に対する指示を行って、間接照明としての上向きＬＥＤを点灯（全点灯）させる。またこれと共に、上記全点灯の指示に応じては、十字保持部５のうち固定とされた最下段の十字保持部５-4上に形成された下向きＬＥＤを点灯させるべく、４段目下向きＬＥＤ駆動回路２０に対して点灯指示を行う。
そして制御部３０は、上記全点灯の指示に応じて、回転量検出部３２により検出される回転量のモニタを開始する。
ここで、回転量検出部３２により検出される回転量について、初期状態での回転量を０とすると、制御部３０は、該回転量検出部３２で検出される回転量が０より大となったことに応じて、１段目下向きＬＥＤ駆動回路２６に対する指示を行い、先ずは最上段の十字保持部５-1上に形成された下向きＬＥＤを点灯させる。
そして、回転量が第１閾値（０より大）を超えたことに応じて、２段目下向きＬＥＤ駆動回路２７に対する指示を行って十字保持部５-2上に形成された下向きＬＥＤを点灯させる。
さらに、回転量が第２閾値（第１閾値より大）を超えたことに応じて、３段目下向きＬＥＤ駆動回路２８に対する指示を行って十字保持部５-3上に形成された下向きＬＥＤを点灯させる。
これにより、前述した第１の手法としての順次点灯動作が実現される。
【００５６】
なおこの場合、消灯の指示に応じては、以下のようにして各十字保持部５上の下向きＬＥＤが徐々に消灯されていくようにする。
具体的に、制御部３０は、消灯の指示が為されたことに応じ、上向きＬＥＤ駆動回路２５に対する指示を行って各上向きＬＥＤを消灯させる。またこれと共に、１段目下向きＬＥＤ駆動回路２６に対する指示を行って、最上段の十字保持部５-1上に形成された下向きＬＥＤを消灯させる。なおこのとき、上向きＬＥＤの消灯に伴い、各上向きＬＥＤ基板３の温度は徐々に低下していき、回転軸部６は展開時と逆方向の回転を始めることになる。
また制御部３０は、消灯指示に応じて、回転量検出部３２による回転量をモニタし、該回転量が上記第２閾値を下回ったことに応じ、２段目下向きＬＥＤ駆動回路２７に対する指示を行って２段目の十字保持部５-2上に形成された下向きＬＥＤを消灯させる。さらに、回転量が上記第１閾値を下回ったことに応じて、３段目下向きＬＥＤ駆動回路２８に対する指示を行って３段目の十字保持部５-3上に形成された下向きＬＥＤを消灯させる。
そして、回転量が０に達したことに応じて、４段目下向きＬＥＤ駆動回路２９に対する指示を行って、最下段における固定の十字保持部５-4上に形成された下向きＬＥＤを消灯させる。
このような消灯制御により、下向きＬＥＤの消灯は、初期状態に戻る過程において順に畳まれていった十字保持部５に形成されたものから順に行われていくことになる。
【００５７】
また、順次点灯の第２の手法は、多段階の調光指示が可能とされた場合に対応するものであり、換言すれば、調光により上向きＬＥＤの発光量が段階的に設定されることに伴い、下向きＬＥＤの展開動作も段階的に行われる場合に対応した手法となる。
具体的には、調光の各段階に対応して順次初期状態から動き出すこととなる十字保持部５上に形成された下向きＬＥＤを点灯させるという制御を行うものである。
【００５８】
ここで、確認のため述べておくと、上向きＬＥＤの段階的な調光により、サーマルアクチュエータ１２に入力される熱量が段階的に制御されるものとなり、従って回転軸部６の回転量を段階的に制御できる。つまりこの点より、各段の調光状態（調光の各ステップ）と、十字保持部５-1のみが展開した状態（第１状態とする）、十字保持部５-1及び５-2が展開した状態（第２状態とする）、十字保持部５-1及び５-2及び５-3の全てが展開した状態（第３状態とする）とをそれぞれ対応させることができるものである。
第２の手法では、このように上向きＬＥＤの調光に伴い実現される第１状態、第２状態、第３状態の各展開状態ごとに、初期状態から動き出すこととなる十字保持部５上の下向きＬＥＤを点灯させていくものである。
【００５９】
該第２の手法を実現するとした場合、制御部３０は以下のような制御を行う。
先ず、この場合のリモートコントローラ５０からの調光指示としては、消灯指示も含めて４段階の指示（第１調光状態、第２調光状態、第３調光状態、消灯とする）が可能とされる。
制御部３０は、第１調光状態の指示に応じて、上向きＬＥＤ駆動回路２５に対する指示を行って上向きＬＥＤを所定の第１発光量により発光させる。
この上向きＬＥＤの第１発光量による発光により、最上段の十字保持部５-1のみが展開した上述の第１状態が得られることとなるので、制御部３０は、第１調光状態の指示に応じては、上記の制御と共に、１段目下向きＬＥＤ駆動回路２６に対する指示を行って十字保持部５-1上に形成された下向きＬＥＤを点灯させる制御を行う。
これにより、第１状態に対応して動き出すこととなる十字保持部５-1上の下向きＬＥＤを点灯させることができる。
【００６０】
なお、第１調光状態では、最下段における固定の十字保持部５-4上の下向きＬＥＤも点灯させる。すなわち、第１調光状態では、下向きＬＥＤとして、十字保持部５-1上の下向きＬＥＤと十字保持部５-4上の下向きＬＥＤが点灯される状態が得られるように制御を行うようにする。
【００６１】
また制御部３０は、第２調光状態の指示に応じて、上向きＬＥＤ駆動回路２５に対する指示を行って上向きＬＥＤを所定の第２発光量（第１発光量よりも大）により発光させる。
該第２発光量による発光に伴い、十字保持部５-2が新たに展開した状態、すなわち十字保持部５-1及び５-2が展開した上述の第２状態が得られることになるので、制御部３０は、上記第２発光量での発光指示を行うと共に、２段目下向きＬＥＤ駆動回路２７に対する指示を行って十字保持部５-2上の下向きＬＥＤを点灯させる。
これにより、第２状態に対応して動き出すこととなる十字保持部５-2上の下向きＬＥＤを点灯させることができる。
なお、第２調光状態では、下向きＬＥＤとして、最下段における固定の十字保持部５-4上の下向きＬＥＤ、最上段の十字保持部５-1上の下向きＬＥＤ、及び２段目の十字保持部５-2上の下向きＬＥＤを点灯させる。このため、該第２調光状態の指示に応じては、上記の制御と共に、十字保持部５-4上の下向きＬＥＤと十字保持部５-1上の下向きＬＥＤの点灯状態が得られるようにするための制御も行うことになる。
【００６２】
また制御部３０は、第３調光状態の指示に応じて、上向きＬＥＤ駆動回路２５に対する指示を行って上向きＬＥＤを所定の第３発光量（第２発光量よりも大）により発光させる。
該第３発光量による発光に伴い、十字保持部５-3が新たに展開した状態、すなわち十字保持部５-1及び５-2及び５-3の全てが展開した上述の第３状態が得られることになるので、制御部３０は、上記第３発光量での発光指示を行うと共に、３段目下向きＬＥＤ駆動回路２８に対する指示を行って十字保持部５-3上の下向きＬＥＤを点灯させる。
これにより、第３状態に対応して動き出すこととなる十字保持部５-3上の下向きＬＥＤを点灯させることができる。
なお、第３調光状態は全点灯状態であり、下向きＬＥＤの全てを点灯させるべきものとなる。従って第３調光状態の指示に応じては、上記の制御と共に、十字保持部５-4、十字保持部５-1、十字保持部５-2上のＬＥＤの点灯状態が得られるようにするための制御も行うことになる。
【００６３】
また、この場合の制御部３０は、消灯指示に応じて、全ＬＥＤを消灯させるための制御を行う。すなわち、上向きＬＥＤ基板駆動回路２５、及び各下向きＬＥＤ駆動回路（２６，２７，２８，２９）に対する消灯指示を行って全ＬＥＤを消灯させる。
【００６４】
なお、上記説明からも理解されるように、第２の手法を採る場合には、回転軸部６の回転量の検出は不要であり、従って回転量検出部３２は省略することができる。
【００６５】
但し、第２の手法においても、回転量を検出した結果に基づき下向きＬＥＤの点灯／消灯制御を行うことは可能である。
特に、消灯時において、第１の手法と同様に順次畳まれていく十字保持部５の順に下向きＬＥＤが消灯されていくように制御を行うとした場合には、第１の手法と同様に、回転量検出部３２で検出される回転量に基づく消灯制御を行う。
【００６６】
＜４．まとめ＞
上記により説明したように、本実施の形態では、光照射位置や照射方向等の可変のための可動部を有する照明装置１について、発光部（上向きＬＥＤ基板３）で生じる熱を利用して上記可動部（回転軸部６や十字保持部５）を動かすものとしている。
これによれば、従来のようにモータ等の動力発生部を別途に設ける必要性はなくなり、消費電力の増加を効果的に防止できる。また同時に、別途の電気配線や駆動回路基板等の追加の必要がなくなるので、追加部品点数の増加を抑制でき、コストアップの抑制が図られる。
また本実施の形態によれば、上記可動部の駆動のために使用者の手動による手間を強いる必要性もないものとできる。
【００６７】
また、本実施の形態では、熱利用の対象とされる上向きＬＥＤ基板３を、照明装置１の中心軸近傍に配置している。このことで、回転軸部６などの可動部を装置の中央部に配置することができ、該可動部を筐体で覆うことができる。つまり、該可動部が表出して外観上の美観が損なわれてしまうことの防止が図られる。
【００６８】
また本実施の形態では、回転軸部６の回転に伴い、可動とされた十字保持部５（下向きＬＥＤ基板４）が徐々に展開していくことに応じて下向きＬＥＤを順次点灯させていくものとしているが、このことで、照明による演出効果をより一層高めることができる。
＜５．変形例＞
以上、本技術に係る実施の形態について説明したが、本技術は上記により説明した具体例に限定されるべきものではない。
例えば、実施の形態の照明装置１の構成によると、直接照明としての光源部は装置の中央部ではなく外縁部に対して設けられるので、従前の照明装置のように装置中央部に電球の脱着部を設ける必要性がない。この点を利用し、例えば図１５に示すように、装置の下面側の中央部に対し、照明機能以外の機能を拡張するためのデバイスを接続する接続部３５を設けることができる。
ここで、該接続部３５に接続され、機能拡張を行うデバイスの例としては、例えば音響再生装置、撮像装置、受音装置などを挙げることができる。
【００６９】
なお、実施の形態の照明装置１では、各ＬＥＤ（ＬＥＤ基板）は着脱可能とされていないが、これは、従前の白熱電球や蛍光灯などと比較してＬＥＤが長寿命である点を考慮してのことである。換言すれば、光源としてＬＥＤを用いていることで、従前の照明装置のように装置中央部近傍に電球の着脱部を配置する必要がなくなり、その分、光源部の配置の自由度が高められているものである。
【００７０】
また、これまでの説明では、間接照明としての上向きＬＥＤが形成される上向きＬＥＤ基板３の数が８、下向きＬＥＤ基板４の数が１６とされる場合を例示したが、これらはあくまで一例であって、その数がこれらに限定されるものではない。
また、各ＬＥＤ基板の形状としても十字型に限定されるべきものではなく他の形状を採用することも勿論可能である。
【００７１】
また、これまでの説明では、展開状態における各十字保持部５の回転角度を設定するための手法として、十字保持部５間をワイヤ（Ｗ１，Ｗ２）で繋ぐ手法を例示したが、これに代えて、回転軸部６から各十字保持部５（可動とされる十字保持部５）に駆動力を伝達するための伝達ギアを設け、該伝達ギヤのギヤ比を十字保持部５ごとに異ならせることによっても、展開状態でのそれぞれの十字保持部５の回転角度を設定できる。
なおこの場合、サーマルアクチュエータ１２による駆動力の発生に応じて、可動とされた各十字保持部５がそれぞれ異なる回転速度で一斉に動き出すことになる。
【００７２】
また、光源部の展開動作については、これまでで例示した回転に依るものに限定されるべきではない。
図１６を参照し、展開動作の変形例について説明する。
図１６Ａは、第１の変形例としての展開動作についての説明図である。該第１の変形例では、例えば柱状とされる基板支持部４０が設けられる。該基板支持部４０に対しては、複数のＬＥＤ基板４１（この図では４１-1、４１-2、４１-3、４１-4の４つとしている）が形成される。
このような基板支持部４０を、サーマルアクチュエータ１２と同様に光源部の熱を利用して動作するアクチュエータ（図示は省略）で発生された駆動力を利用して図のように水平方向にスライド移動させる。
このような手法によっても、光源部（ＬＥＤ基板４１）の展開動作を実現できる。
なお、この図１６Ａでは図示の複雑化を避けるため基板支持部４０を１つのみ示したが、複数の基板支持部４０を設けてそれぞれをスライド移動させることも勿論可能である。
複数の基板支持部４０をスライド移動させる場合、それらのスライド方向は例えば放射状などとすることが考えられる。
【００７３】
また図１６Ｂは第２の変形例としての展開動作についての説明図である。
この場合、基板支持部４０は、図中の上段側に示すように、その長手方向が縦方向を向くように複数配列させる。この場合は、光源部で発生した熱を利用して動作するサーマルアクチュエータで発生された駆動力を利用して、これらの基板支持部４０を図中の下段側に示すように傘状に開かせるように動かす。
このような手法によっても光源部（ＬＥＤ基板４１）の展開動作を実現できる。
【００７４】
また、これまでの説明では、サーマルアクチュエータとして形状記憶合金を用いたものを例示したが、形状記憶合金ではなく、形状記憶セラミックや形状記憶ポリマー、又はバイメタルを用いたサーマルアクチュエータとすることもできる。
或いは、シリンダー内に例えば低沸点液体などの感熱による膨張／収縮性を有する液体を充填させておき、該液体の膨張／収縮を利用して駆動力を得るようなサーマルアクチュエータとすることもできる。
【００７５】
また、これまでの説明では、消灯／点灯制御は、リモートコントローラ５０の操作に応じて行われるものとしたが、例えば赤外線センサなどを具備することで人の有無を検知し、その結果に基づき消灯／点灯制御を行うものとすることもできる。
【００７６】
また、前述の第２の手法では、調光の各ステップと第１状態〜第３状態としての各展開状態とを対応させるものとしたが、先の図１３に示した実験結果のように、光源部の基板温度（駆動電流値）とアクチュエータの駆動量とは非線形の関係（温度上昇に伴って駆動量が指数関数的に増加する）となることから、このように調光の各ステップと各展開状態とを対応させるためには、調光のステップを１→２→３と上げるごとに発光量差を徐々に小さくしなければならなくなってしまう（第１状態→第２状態→第３状態と遷移させる際の回転軸部６の回転量は略等しいので）。
そこで、調光の１ステップごとの発光量差を一定としても（つまり調光のリニアリティを確保しても）、調光１ステップごとに回転軸部６を一定量だけ回転させることができるように（つまり調光の１ステップと各展開状態とが対応するように）すべく、別途の機構を設けるなどして対策を行ってもよい。
例えば、上向きＬＥＤ基板３の温度上昇に応じて回転軸部６に与えられる与圧を大とするような別途の機構を設けて対策を行うことなどが考えられる。或いは、サーマルアクチュエータ１２からの駆動力を伝達ギアを介して回転軸部６に与える構成とした上で、上向きＬＥＤ基板３の温度に応じて該伝達ギヤのギヤ比を変更することで、温度上昇に応じ回転軸部６の回転を徐々に鈍らせるようにしてもよい。
【００７７】
また、本技術は以下に示す構成を採ることもできる。
（１）
第１の発光部と、
上記第１の発光部で発生した熱に基づき駆動力を発生するサーマルアクチュエータ部と、
上記サーマルアクチュエータ部が発生した駆動力を利用して所定の対象物を変位させる変位機構部と
を備える照明装置。
（２）
上記第１の発光部はその光源がＬＥＤ（Light Emitting Diode）とされる上記（１）に記載の照明装置。
（３）
上記サーマルアクチュエータ部は、
形状記憶合金を有し、該形状記憶合金の上記熱に応じた変形を利用して上記駆動力を発生する
上記（１）又は（２）に記載の照明装置。
（４）
さらに第２の発光部を備え、
上記変位機構部は、
上記対象物として上記第２の発光部を変位させるように構成されている
上記（１）乃至（３）何れかに記載の照明装置。
（５）
上記第２の発光部はその光源がＬＥＤとされる上記（４）に記載の照明装置。
（６）
上記第１の発光部と上記第２の発光部は、互いの発光方向が逆向きとなるように配置されている
上記（４）又は（５）に記載の照明装置。
（７）
上記変位機構部は、
回転軸部と、
該回転軸部に接続され上記対象物を保持する回転保持部とを有すると共に、
上記サーマルアクチュエータ部が発生した駆動力を利用して上記回転軸部を回転させることで上記対象物を変位させる
上記（１）乃至（６）何れかに記載の照明装置。
（８）
上記第１の発光部が、上記回転軸部の中心軸の近傍に配置されている上記（７）に記載の照明装置。
（９）
上記サーマルアクチュエータ部は、
上記第１の発光部の発熱量が大となることに応じてその駆動量が大となるように構成されている
上記（１）乃至（８）何れかに記載の照明装置。
（１０）
第２の発光部を複数備え、
上記変位機構部は、
それぞれが上記第２の発光部を保持する複数の上記回転保持部を有して、複数の上記第２の発光部をそれぞれ変位させるように構成されており、
上記第２の発光部が上記回転軸部の回転量に応じて順次点灯されていくように制御を行う点灯制御部をさらに備える
上記（７）乃至（９）何れかに記載の照明装置。
（１１）
上記変位機構部は、複数の棒状部材を傘状に開／閉させるように構成されている上記（１）乃至（６）又は（９）何れかに記載の照明装置。
（１２）
上記変位機構部は、上記対象物の保持部を水平移動させることで上記対象物を変位させるように構成されている上記（１）乃至（６）又は（９）何れかに記載の照明装置。
【符号の説明】
【００７８】
１  照明装置、２  本体部、２Ａ  装着部、２Ｂ  スリング部、２Ｃ  ケース部、３-1,３-2,３-3,３-4,３-5,３-6,３-7,３-8  上向きＬＥＤ基板、４-1,４-2,４-3,４-4  下向きＬＥＤ基板、５-1,５-2,５-3,５-4  十字保持部、５ｈ  孔部、５-1P  ポール、６  回転軸部、７  プーリー、８  ねじりコイルバネ、９,１０  ピン、１１  集熱ケース、１２  サーマルアクチュエータ、１３  ワイヤ、２０  ピストン部、２０Ａ  衝立部、２１  ピストン支持部、２２  形状記憶合金バネ、２３  コイルスプリング、Ｗ１  第１ワイヤ、Ｗ２  第２ワイヤ、２５  上向きＬＥＤ駆動回路、２６  １段目下向きＬＥＤ駆動回路、２７  ２段目下向きＬＥＤ駆動回路、２８  ３段目下向きＬＥＤ駆動回路、２９  ４段目下向きＬＥＤ駆動回路、３０  制御部、３１  受信部、３２  回転量検出部、３５  接続部、４０  基板支持部、４１-1,４１-2,４１-3,４１-4  ＬＥＤ基板、５０  リモートコントローラ
【図１】
2013110074.tif 000003
【図２】
2013110074.tif 000004
【図３】
2013110074.tif 000005
【図４】
2013110074.tif 000006
【図５】
2013110074.tif 000007
【図６】
2013110074.tif 000008
【図７】
2013110074.tif 000009
【図８】
2013110074.tif 000010
【図１０】
2013110074.tif 000011
【図１１】
2013110074.tif 000012
【図１２】
2013110074.tif 000013
【図１３】
2013110074.tif 000014
【図１４】
2013110074.tif 000015
【図１５】
2013110074.tif 000016
【図１６】
2013110074.tif 000017
【図９】
2013110074.tif 000018